(57)【特許請求の範囲】
【請求項１】
トイレ用塞ぎ防止床ドレンであって、地面を含み、前記地面の中には上方に開口した排水溝が形成され、前記排水溝の下端壁の中には前記地面を貫通した排水空間が設置され、前記排水溝の中には水と塞ぎ物を分離する床ドレン機構が設置され、
前記地面の中には分離された塞ぎ物を整理できる動かし機構が設置され、前記動かし機構は、前記排水空間の左右端壁の中に位置しておりかつ前記排水空間と連通した二つの移動空間を含み、前記移動空間の中には動かし板がスライド可能に連結されかつ前記移動空間の中には前記移動空間の端壁と前記動かし板とを連結した移動ばねが設置され、前記動かし板において前記排水空間に近接した端には止板が固定され、前記止板の中には前記移動空間と連通したスライド溝が形成され、前記スライド溝の中にはスライドできるスライドブロックと、前記スライドブロックと前記スライド溝の端壁とを連結したスライドばねが設置され、前記スライド溝には一端が前記移動空間の中に位置する移動棒が固定され、前記移動空間の中において前記移動棒には連結板が固定され、前記連結板の下側には塞ぎ物を動かす止ブロックが設置され、前記止ブロックの中には上方に開口した上げ空間が設置され、前記上げ空間の下端壁には磁石板が固定され、前記連結板の下端において前記上げ空間の中には前記磁石板と反発する電磁石が固定され、前記地面の中には前記止ブロックの左右方向での運動を制御する伝動機構が設置され、前記地面の中には前記動かし板の左右方向での運動を制御できる昇降機構が設置され、
排水中、前記昇降機構は水の自動的な作用により作動することで、前記動かし板の運動を制御すると同時に、前記床ドレン機構が作動して塞ぎ物を分離し、かつ前記伝動機構を作動連動させて前記止ブロックの左右方向での運動を制御し、分離された塞ぎ物を取り除き、排水のスムーズさを保証し、
前記床ドレン機構は、前記排水溝の中に位置しかつ大きな穴の開いた床ドレンを含み、前記床ドレンの下端面には下端が前記排水空間の中に位置する連結柱が固定され、前記排水空間の中には塞ぎ物を分離できる濾過板が設置され、前記連結柱の中には下方に開口した駆動空間が設置され、前記連結柱の中には前記駆動空間の下端壁に貫通された位置制限空間が設置され、前記駆動空間の上端壁には駆動モータが固定され、前記駆動モータの下端には下端が前記排水空間の中に位置しかつ前記濾過板と固定的に連結された駆動軸が伝動可能に連結され、前記位置制限空間の中には前記駆動軸の下端に貫通された位置制限ブロックが設置され、前記濾過板の中には下方に開口した制限溝が二つ設置され、
前記伝動機構は、前記排水空間の左右端壁の中にそれぞれ位置する二つの伝動空間を含み、前記地面の中には左右二つの前記伝動空間と前記排水空間とを連通した連結輪空間が設置され、前記連結輪空間の中には内端が前記排水空間の中に位置しかつ外端が前記伝動空間の中に位置する環状歯車が設置され、前記連結輪空間の上端壁の中には下方に開口した環状溝が形成され、前記排水空間の中の上端面には上端が前記制限溝の中に位置する伝動棒が二本固定され、前記連結輪空間の中の前記環状歯車の上端面には上端が前記環状溝の中に位置する制限ブロックが固定され、前記伝動空間の下端壁には伝動軸が回転可能に連結され、前記伝動軸の下端には一端が前記環状歯車と噛み合った伝動歯車が固定され、前記伝動空間において前記排水空間から離れた端壁には支持板が固定され、前記伝動軸の上端には前記支持板の上側に位置するカムが固定され、前記支持板の上側には前記カムの一端と接触した移動板がスライド可能に連結され、前記伝動空間において前記排水空間から離れた端壁には一端が前記移動板と固定的に連結された伸縮ばねが固定され、前記伸縮ばねにはロープが固定され、前記伝動空間において前記排水空間から離れた端壁にはスライド空間が設置され、前記スライド空間の中にはスライド板がスライド可能に連結され、前記スライド板において前記排水空間に近接した端面には一端が前記移動空間の端壁を貫通しかつ前記動かし板と固定的に連結された連結棒が固定され、前記スライド空間の一端が前記伝動空間の端壁を一度、前記スライド板を二度、前記スライド空間において前記排水空間に近接した端壁を二度、前記移動空間の端壁及び前記スライド溝の端壁を一度貫通して最終に前記移動棒と固定的に連結され、
前記昇降機構は前記排水空間の左右端壁の中にそれぞれ位置した二つの昇降空間を含み、前記昇降空間と前記排水空間との間には前記排水空間と前記昇降空間を連通した排水口と連結穴が設置され、前記排水空間の中には左端が左側の前記連結穴の中に、右端が右側の前記連結穴の中に位置するガイド棒が設置され、前記ガイド棒が前記連結穴の下端壁と固定的に連結され、前記昇降空間の中にはピストン板がスライド可能に連結され、前記昇降空間の中には前記ピストン板を支持する昇降ばねが設置され、前記ピストン板の下端には下端が前記昇降空間の下端壁と前記移動空間の片側端壁を貫通しかつ前記動かし板と固定的に連結された鎖が固定され、前記ピストン板の中には前記ピストン板の上下端面を貫通した貫通穴が設置され、前記貫通穴の中には電磁スイッチが設置され、
初期状態の時、前記移動ばねと前記伸縮ばねとが圧縮状態にあり、他のばねはいずれも通常状態にあり、
前記伸縮ばねの弾力は前記スライドばねの弾力より遥かに大きく、前記昇降ばねの弾力が前記移動ばねの弾力より遥かに大きいことを特徴とするトイレ用塞ぎ防止床ドレン。
【発明の詳細な説明】
【技術分野】
【０００１】
本願発明は台所やトイレ分野に関し、具体的にはトイレ用塞ぎ防止床ドレンに関する。
【背景技術】
【０００２】
トイレ常備の床ドレンは排水管路と室内地面を連結でき、排水すると同時にアクセサリーなどの小物が排水管路の中に落ちて塞ぎを招くことを防止できる。
現在、シャワーする時に落ちた髪の毛などは水流にしたがって床ドレンの中に入り、溜まり続けば塞ぎを起こし、排水の機能に影響する。塞いだらまた床ドレンを整理しねばならぬ、生活に不便である。
【先行技術文献】
【特許文献】
【０００３】
【特許文献１】中国特許出願公開第１０６４３６８７４号明細書
【発明の概要】
【発明が解決しようとする課題】
【０００４】
本願発明の課題はトイレ用塞ぎ防止床ドレンを提供し、塞ぎにより生活にもたらしたいろんな不便を解決する。
【課題を解決するための手段】
【０００５】
トイレ用塞ぎ防止床ドレンであって、地面を含み、前記地面の中には上方に開口した排水溝が形成され、前記排水溝の下端壁の中には前記地面を貫通した排水空間が設置され、前記排水溝の中には水と塞ぎ物を分離する床ドレン機構が設置され、
前記地面の中には分離された塞ぎ物を整理できる動かし機構が設置され、前記動かし機構は、前記排水空間の左右端壁の中に位置しておりかつ前記排水空間と連通した二つの移動空間を含み、前記移動空間の中には動かし板がスライド可能に連結されかつ前記移動空間の中には前記移動空間の端壁と前記動かし板とを連結した移動ばねが設置され、前記動かし板において前記排水空間に近接した端には止板が固定され、前記止板の中には前記移動空間と連通したスライド溝が形成され、前記スライド溝の中にはスライドできるスライドブロックと、前記スライドブロックと前記スライド溝の端壁とを連結したスライドばねが設置され、前記スライド溝には一端が前記移動空間の中に位置する移動棒が固定され、前記移動空間の中において前記移動棒には連結板が固定され、前記連結板の下側には塞ぎ物を動かす止ブロックが設置され、前記止ブロックの中には上方に開口した上げ空間が設置され、前記上げ空間の下端壁には磁石板が固定され、前記連結板の下端において前記上げ空間の中には前記磁石板と反発する電磁石が固定され、前記地面の中には前記止ブロックの左右方向での運動を制御する伝動機構が設置され、前記地面の中には前記動かし板の左右方向での運動を制御できる昇降機構が設置され、
排水中、前記昇降機構は水の自動的な作用により作動することで、前記動かし板の運動を制御すると同時に、前記床ドレン機構が作動して塞ぎ物を分離し、かつ前記伝動機構を作動連動させて前記止ブロックの左右方向での運動を制御し、分離された塞ぎ物を取り除き、排水のスムーズさを保証する。
【０００６】
有益的に、前記床ドレン機構は、前記排水溝の中に位置しかつ大きな穴の開いた床ドレンを含み、前記床ドレンの下端面には下端が前記排水空間の中に位置する連結柱が固定され、前記排水空間の中には塞ぎ物を分離できる濾過板が設置され、前記連結柱の中には下方に開口した駆動空間が設置され、前記連結柱の中には前記駆動空間の下端壁に貫通された位置制限空間が設置され、前記駆動空間の上端壁には駆動モータが固定され、前記駆動モータの下端には下端が前記排水空間の中に位置しかつ前記濾過板と固定的に連結された駆動軸が伝動可能に連結され、前記位置制限空間の中には前記駆動軸の下端に貫通された位置制限ブロックが設置され、前記濾過板の中には下方に開口した制限溝が二つ設置されている。
【０００７】
有益的に、前記伝動機構は、前記排水空間の左右端壁の中にそれぞれ位置する二つの伝動空間を含み、前記地面の中には左右二つの前記伝動空間と前記排水空間とを連通した連結輪空間が設置され、前記連結輪空間の中には内端が前記排水空間の中に位置しかつ外端が前記伝動空間の中に位置する環状歯車が設置され、前記連結輪空間の上端壁の中には下方に開口した環状溝が形成され、前記排水空間の中の上端面には上端が前記制限溝の中に位置する伝動棒が二本固定され、前記連結輪空間の中の前記環状歯車の上端面には上端が前記環状溝の中に位置する制限ブロックが固定され、前記伝動空間の下端壁には伝動軸が回転可能に連結され、前記伝動軸の下端には一端が前記環状歯車と噛み合った伝動歯車が固定され、前記伝動空間において前記排水空間から離れた端壁には支持板が固定され、前記伝動軸の上端には前記支持板の上側に位置するカムが固定され、前記支持板の上側には前記カムの一端と接触した移動板がスライド可能に連結され、前記伝動空間において前記排水空間から離れた端壁には一端が前記移動板と固定的に連結された伸縮ばねが固定され、前記伸縮ばねにはロープが固定され、前記伝動空間において前記排水空間から離れた端壁にはスライド空間が設置され、前記スライド空間の中にはスライド板がスライド可能に連結され、前記スライド板において前記排水空間に近接した端面には一端が前記移動空間の端壁を貫通しかつ前記動かし板と固定的に連結された連結棒が固定され、前記スライド空間の一端が前記伝動空間の端壁を一度、前記スライド板を二度、前記スライド空間において前記排水空間に近接した端壁を二度、前記移動空間の端壁及び前記スライド溝の端壁を一度貫通して最終に前記移動棒と固定的に連結されている。
【０００８】
有益的に、前記昇降機構は前記排水空間の左右端壁の中にそれぞれ位置した二つの昇降空間を含み、前記昇降空間と前記排水空間との間には前記排水空間と前記昇降空間を連通した排水口と連結穴が設置され、前記排水空間の中には左端が左側の前記連結穴の中に、右端が右側の前記連結穴の中に位置するガイド棒が設置され、前記ガイド棒が前記連結穴の下端壁と固定的に連結され、前記昇降空間の中にはピストン板がスライド可能に連結され、前記昇降空間の中には前記ピストン板を支持する昇降ばねが設置され、前記ピストン板の下端には下端が前記昇降空間の下端壁と前記移動空間の片側端壁を貫通しかつ前記動かし板と固定的に連結された鎖が固定され、前記ピストン板の中には前記ピストン板の上下端面を貫通した貫通穴が設置され、前記貫通穴の中には電磁スイッチが設置されている。
【０００９】
有益的に、初期状態の時、前記移動ばねと前記伸縮ばねとが圧縮状態にあり、他のばねはいずれも通常状態にある。
【００１０】
有益的に、前記伸縮ばねの弾力は前記スライドばねの弾力より遥かに大きく、前記昇降ばねの弾力が前記移動ばねの弾力より遥かに大きい。
【発明の効果】
【００１１】
本願発明の有益効果は：本願発明は構造が簡単で、操作が便利で、自動的に流れてくる水に混ぜ込んだ髪の毛など塞ぎの元凶を取り除き、排出機能を保証する上に、使用後に自動的に塞ぎ物を濾過板の上側に送ることで、床ドレンを取り外す時に便利に塞ぎ物を取り出すことができる。
【図面の簡単な説明】
【００１２】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１３】
【図１】図１は本願発明の実施例の構成図
【図２】図２は本願発明の実施例の図１における止板の全体断面の左面拡大構成図
【図３】図３は本願発明の実施例の図１におけるＡの拡大構成図
【図４】図４は本願発明の実施例の図１におけるＢの拡大構成図
【発明を実施するための形態】
【００１４】
図１〜４の示したように、トイレ用塞ぎ防止床ドレンであって、地面１０を含み、前記地面１０の中には上方に開口した排水溝３７が形成され、前記排水溝３７の下端壁の中には前記地面１０を貫通した排水空間２０が設置され、前記排水溝３７の中には水と塞ぎ物を分離する床ドレン機構５９が設置され、前記地面１０の中には分離された塞ぎ物を整理できる動かし機構６０が設置され、前記動かし機構６０は、前記排水空間２０の左右端壁の中に位置しておりかつ前記排水空間２０と連通した二つの移動空間３３を含み、前記移動空間３３の中には動かし板３５がスライド可能に連結されかつ前記移動空間３３の中には前記移動空間３３の端壁と前記動かし板３５とを連結した移動ばね３４が設置され、前記動かし板３５において前記排水空間２０に近接した端には止板３６が固定され、前記止板３６の中には前記移動空間３３と連通したスライド溝４５が形成され、前記スライド溝４５の中にはスライドできるスライドブロック４７と、前記スライドブロック４７と前記スライド溝４５の端壁とを連結したスライドばね４６が設置され、前記スライド溝４５には一端が前記移動空間３３の中に位置する移動棒４４が固定され、前記移動空間３３の中において前記移動棒４４には連結板１１が固定され、前記連結板１１の下側には塞ぎ物を動かす止ブロック５８が設置され、前記止ブロック５８の中には上方に開口した上げ空間４９が設置され、前記上げ空間４９の下端壁には磁石板５０が固定され、前記連結板１１の下端において前記上げ空間４９の中には前記磁石板５０と反発する電磁石４８が固定され、前記地面１０の中には前記止ブロック５８の左右方向での運動を制御する伝動機構６１が設置され、前記地面１０の中には前記動かし板３５の左右方向での運動を制御できる昇降機構６２が設置され、排水中、前記昇降機構６２は水の自動的な作用により作動することで、前記動かし板３５の運動を制御すると同時に、前記床ドレン機構５９が作動して塞ぎ物を分離し、かつ前記伝動機構６１を作動連動させて前記止ブロック５８の左右方向での運動を制御し、分離された塞ぎ物を取り除き、排水のスムーズさを保証する。
【００１５】
有益的には、前記床ドレン機構５９は、前記排水溝３７の中に位置しかつ大きな穴の開いた床ドレン４０を含み、前記床ドレン４０の下端面には下端が前記排水空間２０の中に位置する連結柱４１が固定され、前記排水空間２０の中には塞ぎ物を分離できる濾過板５４が設置され、前記連結柱４１の中には下方に開口した駆動空間３８が設置され、前記連結柱４１の中には前記駆動空間３８の下端壁に貫通された位置制限空間４３が設置され、前記駆動空間３８の上端壁には駆動モータ４２が固定され、前記駆動モータ４２の下端には下端が前記排水空間２０の中に位置しかつ前記濾過板５４と固定的に連結された駆動軸６３が伝動可能に連結され、前記位置制限空間４３の中には前記駆動軸６３の下端に貫通された位置制限ブロック３９が設置され、前記濾過板５４の中には下方に開口した制限溝５３が二つ設置されている。
【００１６】
有益的には、前記伝動機構６１は、前記排水空間２０の左右端壁の中にそれぞれ位置する二つの伝動空間１６を含み、前記地面１０の中には左右二つの前記伝動空間１６と前記排水空間２０とを連通した連結輪空間５５が設置され、前記連結輪空間５５の中には内端が前記排水空間２０の中に位置しかつ外端が前記伝動空間１６の中に位置する環状歯車５１が設置され、前記連結輪空間５５の上端壁の中には下方に開口した環状溝５６が形成され、前記排水空間２０の中の上端面には上端が前記制限溝５３の中に位置する伝動棒５２が二本固定され、前記連結輪空間５５の中の前記環状歯車５１の上端面には上端が前記環状溝５６の中に位置する制限ブロック５７が固定され、前記伝動空間１６の下端壁には伝動軸１８が回転可能に連結され、前記伝動軸１８の下端には一端が前記環状歯車５１と噛み合った伝動歯車１７が固定され、前記伝動空間１６において前記排水空間２０から離れた端壁には支持板１５が固定され、前記伝動軸１８の上端には前記支持板１５の上側に位置するカム１２が固定され、前記支持板１５の上側には前記カム１２の一端と接触した移動板１４がスライド可能に連結され、前記伝動空間１６において前記排水空間２０から離れた端壁には一端が前記移動板１４と固定的に連結された伸縮ばね１３が固定され、前記伸縮ばね１３にはロープ３０が固定され、前記伝動空間１６において前記排水空間２０から離れた端壁にはスライド空間３１が設置され、前記スライド空間３１の中にはスライド板２９がスライド可能に連結され、前記スライド板２９において前記排水空間２０に近接した端面には一端が前記移動空間３３の端壁を貫通しかつ前記動かし板３５と固定的に連結された連結棒３２が固定され、前記スライド空間３１の一端が前記伝動空間１６の端壁を一度、前記スライド板２９を二度、前記スライド空間３１において前記排水空間２０に近接した端壁を二度、前記移動空間３３の端壁及び前記スライド溝４５の端壁を一度貫通して最終に前記移動棒４４と固定的に連結されている。
【００１７】
有益的に、前記昇降機構６２は前記排水空間２０の左右端壁の中にそれぞれ位置した二つの昇降空間２５を含み、前記昇降空間２５と前記排水空間２０との間には前記排水空間２０と前記昇降空間２５を連通した排水口２２と連結穴１９が設置され、前記排水空間２０の中には左端が左側の前記連結穴１９の中に、右端が右側の前記連結穴１９の中に位置するガイド棒２１が設置され、前記ガイド棒２１が前記連結穴１９の下端壁と固定的に連結され、前記昇降空間２５の中にはピストン板２７がスライド可能に連結され、前記昇降空間２５の中には前記ピストン板２７を支持する昇降ばね２３が設置され、前記ピストン板２７の下端には下端が前記昇降空間２５の下端壁と前記移動空間３３の片側端壁を貫通しかつ前記動かし板３５と固定的に連結された鎖２４が固定され、前記ピストン板２７の中には前記ピストン板２７の上下端面を貫通した貫通穴２６が設置され、前記貫通穴２６の中には電磁スイッチ２８が設置されている。
【００１８】
有益的には、初期状態の時、前記移動ばね３４と前記伸縮ばね１３とが圧縮状態にあり、他のばねはいずれも通常状態にある。
【００１９】
有益的には、前記伸縮ばね１３の弾力は前記スライドばね４６の弾力より遥かに大きく、前記昇降ばね２３の弾力が前記移動ばね３４の弾力より遥かに大きい。
【００２０】
本願発明の全体の機械動作の順序：
１：排水する時、髪の毛などの塞ぎ物が大穴付きの床ドレン４０を通って濾過板５４に落ち、濾過板５４を通った水がガイド棒２１から両側の昇降空間２５の中に入り、水の増加に従い、ピストン板２７が下降し、昇降ばね２３が圧縮され、ピストン板２７の下降により鎖２４が緩くなり、移動ばね３４が復帰して動かし板３５が連動して排水空間２０に近付き、止板３６の一端が排水空間２０の中に入り、動かし板３５の運動に従い、連結棒３２とスライド板２９とが運動し、ロープ３０がピンと張った状態を維持し、止板３６の一端が排水空間２０の中に入った後、止板３６の下端面と濾過板５４の上端面とを接触させ、止板３６が排水空間２０に近づく時、電磁石４８が起動して磁石５０と吸引し合い、止ブロック５８と磁石板５０とが上方に運動し、止ブロック５８が連結柱４１に近づく時、電磁石４８が作動停止し、止ブロック５８と磁石板５０とが自身重力の作用により下降し、止ブロック５８が連結柱４１に近づき、止ブロック５８の下端が濾過板５４の上端面と接触する。
２：この時駆動モータ４２が作動して駆動軸６３を回転連動させることで、濾過板５４が回転し、濾過板５４の上端面における塞ぎ物が止板３６の片側に集中され、濾過板５４の回転を伝動棒５２が伝達して環状歯車５１を回転連動させることで、伝動歯車１７が回転し、伝動軸１８とカム１２が回転し、カム１２の回転により移動板１４が伸縮ばね１３の作用により左右に運動してロープ３０を緩くしたり引っ張らせたりし、伸縮ばね１３が復帰して移動板１４を連動させて伝動軸１８に近付かせる時、ロープ３０がピンと張って移動棒４４を排水空間２０から離れる方向へ運動させ、止板３６の片側に溜まってある塞ぎ物が移動空間３３の中に押し込まれ、伸縮ばね１３が再び圧縮されかつ移動板１４がカム１２の作用により伝動軸１８から離れる時、ロープ３０が緩くなり、スライドばね４６が緩くなり、移動棒４４が排水空間２０に近付き、移動棒４４が排水空間２０に近づく時、電磁石４８が作動して磁石５０と吸引し合いって止ブロック５８と濾過板５４とを離れさせ、移動棒４４が連結柱４１に近づく時、電磁石４８が作動を停止して止ブロック５８と濾過板５４とが再び接触し、こうしてカム１２の左右運動中において止ブロック５８を左右に運動連動させ、濾過板５４における塞ぎものを取り除き、分離と排水のスムーズさを保証する。
３：排水を止める時、電磁スイッチ２８が貫通穴２６にピストン板２７の上下両側を連通させることで、ピストン板２７の上側に溜まってある水を貫通穴２６と排水口２２から排水空間２０の中に入らせ、この時昇降ばね２３が復帰してピストン板２７を上方に連動させて鎖２４を引っ張って動かし板３５を復帰させ、移動ばね３４が再び圧縮され、動かし板３５が復帰して連結柱３２とスライド板２９とを復帰させ、ロープ３０のピンと張った状態を維持する。
４：この時、カム１２が伝動軸１８に近づく時、ロープ３０がピンと張って移動棒４４を連結柱４１から離れさせ、スライドばね４６が圧縮され、電磁石４８が作動して磁石板５０と吸引し合うに従い、止ブロック５８が上方に運動して移動空間３３の下端壁と離れ、伸縮ばね１３が復帰する時、電磁石４８が作動を停止し、止ブロック５８と磁石板５０とが自身重力の作用により下降し、止ブロック５８が溜まってある塞ぎ物において排水空間２０から離れた側に位置し、そしてカム１２の回転に従い、カム１２が伝動軸１８から離れ、伸縮ばね１３が再び圧縮され、ロープ３０が緩くなり、移動棒４４がスライドばね４６の作用により復帰し、止ブロック５８が塞ぎ物を押し動かして再び濾過板５４の上側に位置させ、この時駆動モータ４２が作動を停止することで、使用者が床ドレン４０と濾過板５４を取り出す時、直接に塞ぎ物を取り出すことができる。
【００２１】
以上に述べたのはただ本願発明のより良い実施例で、本願発明を限定することに使わないである。本願発明の意義と原則のもとで行う全ての修正、同等の入れ替えと改善などは本実用新型の保護範囲に含まれる。
【要約】
【課題】本発明はトイレ用塞ぎ防止床ドレンを開示した。
【解決手段】地面を含み、前記地面の中には上方に開口した排水溝が形成され、前記排水溝の下端壁の中には前記地面を貫通した排水空間が設置され、前記排水溝の中には水と塞ぎ物を分離する床ドレン機構が設置され、前記地面の中には分離された塞ぎ物を整理できる動かし機構が設置され、前記動かし機構は、前記排水空間の左右端壁の中に位置しておりかつ前記排水空間と連通した二つの移動空間を含み、前記移動空間の中には動かし板がスライド可能に連結されかつ前記移動空間の中には前記移動空間の端壁と前記動かし板とを連結した移動ばねが設置され、前記動かし板において前記排水空間に近接した端には止板が固定される。
【選択図】図１【図１】
0006781875.tif 000002
【図２】
0006781875.tif 000003
【図３】
0006781875.tif 000004
【図４】
0006781875.tif 000005